(57)【要約】【課題】  容易な操作で短時間に効率良く便を排出させて被処置者の負担を軽減する。【解決手段】  細長の回転軸２の外周に螺旋状の掻込羽根３を回転軸２の前後間に渡って連続的に設け、掻込羽根３の外縁部を拡幅して丸状部３ａを形成し、回転軸２の基端部に回転軸２を手回しするハンドル４を取り付け、回転軸２の先端部に拡幅したコーン部５を形成する。この排便器具１を肛門から直腸に挿入し、ハンドル４をゆっくりと回転させることで、直腸内の便が掻込羽根３で撹拌され、螺旋により排出方向へ送り出されて体外へ排出される。【選択図】図２ 
2005296207.tif 000002
【特許請求の範囲】
【請求項１】
肛門から直腸に挿入して便を回転により掻き出して強制的に排出させる排便器具であって、所定長さの回転軸に螺旋状の掻込羽根を回転軸の前後間に渡って連続的に設け、同掻込羽根の外縁部を丸みを帯びるように形成し、回転軸の基端部に回転軸を回転させる操作部を設け、同操作部により回転軸を回転させることで掻込羽根が腸内の便を螺旋により連続的に送り出して体外へ排出できるようにしたことを特徴とする排便器具。
【請求項２】
掻込羽根の先端部を拡幅して断面丸状に形成した請求項１記載の排便器具。
【請求項３】
操作部が手回しによるハンドルである請求項１又は２記載の排便器具。
【請求項４】
掻込羽根が軟質の合成樹脂で構成されたものである請求項１〜３いずれか記載の排便器具。
【請求項５】
回転軸の先端部をコーン状に形成した請求項１〜４いずれか記載の排便器具。
【請求項６】
掻込羽根の後方を筒体で被覆し、同筒体の後部から回転軸の後端を突出させて操作部を設け、筒体の内部空間を取り込んだ便の排出路とし、同排出路の路端に排出した便を収容する袋体を脱着自在に取り付けた請求項１〜５いずれか記載の排便器具。
【請求項７】
筒体の外周に膨縮自在なバルーンを設け、筒体を直腸に挿入後、前記バルーンを膨張させることで筒体を肛門の位置に保持できるようにした請求項６記載の排便器具。
【請求項８】
筒体の外周に面状の粘着部材を設け、筒体を直腸に挿入後、前記粘着部材を肛門周囲に止着することで筒体を肛門の位置に保持できるようにした請求項６記載の排便器具。
【発明の詳細な説明】
【技術分野】
【０００１】
本発明は、自力で排便できない人の便を強制的に排出させる器具に関する。
【背景技術】
【０００２】
従来、患者やお年寄など自力による排便が困難な人の便を強制的に排出させる排便器具が特許文献１に開示されている。この技術は、細長の挿入部材の前方部分に流体の送排出で傘状に膨縮する膨縮部を設け、膨縮部に対して流体を送排出する流体制御装置を設け、肛門から直腸に挿入後、膨縮部を膨張させて排出方向へ引き寄せることで腸内の便を体外へ強制的に排出できるようにしたことを特徴としている。
【０００３】
ところで、前記の技術では一回の引き寄せで全量を排出させることは困難で、器具の往復動作を数回繰り返して処置することが一般的である。従って、処置に時間を要して被処置者の負担が大きくなる問題があり、さらに短時間に効率良く排出できる器具が求められていた。
【特許文献１】特開２００２−２１０００３号公報
【発明の開示】
【発明が解決しようとする課題】
【０００４】
本発明が解決しようとする課題は、従来のこれらの問題点を解消し、容易な操作で短時間に効率良く便を排出させて被処置者の負担を軽減することにある。
【課題を解決するための手段】
【０００５】
かかる課題を解決した本発明の構成は、
１）  肛門から直腸に挿入して便を回転により掻き出して強制的に排出させる排便器具であって、所定長さの回転軸に螺旋状の掻込羽根を回転軸の前後間に渡って連続的に設け、同掻込羽根の外縁部を丸みを帯びるように形成し、回転軸の基端部に回転軸を回転させる操作部を設け、同操作部により回転軸を回転させることで掻込羽根が腸内の便を螺旋により連続的に送り出して体外へ排出できるようにしたことを特徴とする排便器具
２）  掻込羽根の先端部を拡幅して断面丸状に形成した前記１）記載の排便器具
３）  操作部が手回しによるハンドルである前記１）又は２）記載の排便器具
４）  掻込羽根が軟質の合成樹脂で構成されたものである前記１）〜３）いずれか記載の排便器具
５）  回転軸の先端部をコーン状に形成した前記１）〜４）いずれか記載の排便器具
６）  掻込羽根の後方を筒体で被覆し、同筒体の後部から回転軸の後端を突出させて操作部を設け、筒体の内部空間を取り込んだ便の排出路とし、同排出路の路端に排出した便を収容する袋体を脱着自在に取り付けた前記１）〜５）いずれか記載の排便器具
７）  筒体の外周に膨縮自在なバルーンを設け、筒体を直腸に挿入後、前記バルーンを膨張させることで筒体を肛門の位置に保持できるようにした前記６）記載の排便器具
８）  筒体の外周に面状の粘着部材を設け、筒体を直腸に挿入後、前記粘着部材を肛門周囲に止着することで筒体を肛門の位置に保持できるようにした前記６）記載の排便器具
にある。
【発明の効果】
【０００６】
本発明によれば、回転軸を定位置で回転操作することにより掻込羽根が腸内の便を螺旋により排出方向へ送り出すから、従来と比較して器具の往復動作を伴うことなく短時間に効率良く連続的に排出でき、被処置者の負担が軽減される。
【発明を実施するための最良の形態】
【０００７】
本発明の掻込羽根の先端部は拡幅して断面丸状に形成するか、又は軟質の素材で構成した丸状の被着部材を取り付けて回転時に腸壁を傷付けないようにする。操作部としては手回しによるハンドルやモータを使用した電動の駆動装置が用いられる。掻込羽根は軟質の合成樹脂で構成するのが望ましいが、便を送り出す程度の適度な剛性も要する。回転軸の先端部はコーン状に形成して挿入時の痛みを緩和させるが、この先端部は水溶性のものを用いて挿入後腸液で溶解させてもよい。
【０００８】
掻込羽根の後方は筒体で被覆し、同筒体の後部から回転軸の後端を突出させて操作部を設け、筒体の内部空間を取り込んだ便の排出路とし、排出路の路端に排出した便を収容する袋体を脱着自在に取り付けた構成が、排出した便を容易に回収して衛生的に処置できる。この筒体の外周には膨縮自在なバルーンを設け、筒体を直腸に挿入後バルーンを膨張させることで筒体を肛門位置に保持できるようにするのが望ましい。又はこのバルーンに代えて面状の粘着部材を設け、筒体を直腸に挿入後粘着部材を肛門周囲に止着することで筒体を肛門の位置に保持できるようにしてもよい。以下、本発明の各実施例を図面に基づいて具体的に説明する。
【実施例１】
【０００９】
図１は実施例１の排便器具の外観図、図２は実施例１の排便器具の使用状態を示す説明図である。図中、１は排便器具、２は回転軸、３は掻込羽根、３ａは丸状部、４はハンドル、５はコーン部、Ｂは便、Ｈは人、Ｈａは直腸である。
【００１０】
実施例１の排便器具１は、図１に示すようにおよそ１０ｃｍの細長の回転軸２の外周に直径２７ｍｍの軟質ポリプロピレン製の螺旋状の掻込羽根３を回転軸２の前後間に渡って連続的に設け、掻込羽根３の外縁部を拡幅して丸状部３ａを形成し、回転軸２の基端部に回転軸２を手回しするハンドル４を取り付け、回転軸２の先端部に拡幅したコーン部５を形成している。
【００１１】
図２に示すように、実施例１の排便器具１を肛門から直腸Ｈａに挿入し、ハンドル４を５回転／分程の速度でゆっくりと回転させる。直腸Ｈａ内の便Ｂは掻込羽根３で撹拌され、螺旋により排出方向へ送り出されて体外へ排出される。
【００１２】
従って、回転軸２を定位置で回転操作することにより掻込羽根３が直腸Ｈａ内の便Ｂを螺旋により排出方向へ送り出すから、従来と比較して器具の往復動作を伴うことなく短時間に効率良く連続的に排出でき、被処置者の負担が軽減された。
【実施例２】
【００１３】
図３に示す実施例２は、排出された便を回収して収容する筒体及び袋体を備えた排便器具の例である。図３は実施例２の排便器具の使用状態を示す説明図である。図中、６は筒体、６ａは取込口、６ｂは排出口、６ｃは排出路、６ｄはパッキン、７はバルーン、８は送気具、９は袋体である。
【００１４】
実施例２の排便器具１は、図３に示すように掻込羽根３の後方をシリコン製の筒体６で被覆してその先端部を取込口６ａ，内部空間を取り込んだ便Ｂの排出路６ｃ，後端部を排出口６ｂとし、筒体６の後部から回転軸２の基端部をパッキン６ｄを介して突出させてハンドル４を取り付け、排出口６ｂにポリエチレン製の袋体９を脱着自在に取り付け、筒体６の前方外周に送気具８で膨縮させるバルーン７を前後に取り付けている。
【００１５】
図３に示すように、実施例２の排便器具１を肛門から直腸Ｈａに筒体６の前方が埋まる位置まで挿入し、送気具８で送り込んだ空気で前後のバルーン７を膨張させて筒体６を肛門の定位置に保持する。そして、ハンドル４をゆっくり回転させることで直腸Ｈａ内の便Ｂが掻込羽根３で撹拌されて螺旋により筒体６の取込口６ａから取り込まれ、排出路６ｃで排出方向へ送り出されて排出口６ｂから落下し、袋体９に収容される。その他、符号、構成は実施例１と同じである。
【実施例３】
【００１６】
図４に示す実施例３は、実施例２の排便器具のバルーンに代えて粘着部材を用いた例である。図４は実施例３の排便器具の使用状態を示す説明図である。図中、１０は粘着部材、１０ａは粘着面である。
【００１７】
実施例３の排便器具１は、図４に示すように筒体６の前方外周に粘着面１０ａを備えた粘着部材１０を取り付け、排便器具１を肛門から直腸Ｈａに筒体６の前方が埋まる位置まで挿入後、粘着部材１０の粘着面１０ａを肛門周囲に止着して定位置に保持する。この実施例３の排便器具１は実施例２と比較して送気具８等を省略でき、より低コストで製作できる。その他、符号、構成は実施例２と同じである。
【産業上の利用可能性】
【００１８】
本発明の排便器具は、患者やお年寄など自力による排便が困難な人の処置に用いられる。
【図面の簡単な説明】
【００１９】
【図１】実施例１の排便器具の外観図である。
【図２】実施例１の排便器具の使用状態を示す説明図である。
【図３】実施例２の排便器具の使用状態を示す説明図である。
【図４】実施例３の排便器具の使用状態を示す説明図である。
【符号の説明】
【００２０】
１  排便器具
２  回転軸
３  掻込羽根
３ａ  丸状部
４  ハンドル
５  コーン部
６  筒体
６ａ  取込口
６ｂ  排出口
６ｃ  排出路
６ｄ  パッキン
７  バルーン
８  送気具
９  袋体
１０  粘着部材
１０ａ  粘着面
Ｂ  便
Ｈ  人
Ｈａ  直腸
【図１】
2005296207.tif 000003
【図２】
2005296207.tif 000004
【図３】
2005296207.tif 000005
【図４】
2005296207.tif 000006